(57)【要約】【課題】  携帯電話における通話において、ハンズフリー装置を使用した（すなわち自動車の運転などの他の作業を行いながらの）通話の発生の防止若しくは低減が図られた電話通信システムの提供。【解決手段】  携帯電話１１に対するハンズフリー装置１１０の接続状態を、交換機１５へ送信・保持させ、携帯電話１１に対する発呼があった場合には、携帯電話１１へのハンズフリー装置１１０の接続状態を確認し、携帯電話１１がハンズフリー装置１１０を使用している状態である場合には、発呼側と携帯電話１１とのコネクションの設定の前に、その旨を発呼側へと通知することで、発呼側の自主的な通話中止や通話の短縮を促す。【選択図】  図１
2006174076.tif 000002
【特許請求の範囲】
【請求項１】
無線通信端末機と、当該無線通信端末機との間で無線アクセス網を介して信号を送受信する基地局と、当該基地局と接続される交換機と、当該交換機を相互に接続する中継網若しくはネットワーク間接続装置を介して接続されるＩＰネットワークと、を備える電話通信システムであって、前記無線通信端末機にハンズフリー装置が接続された場合には、当該無線通信端末機に前記ハンズフリー装置が接続されたことを示す情報を、当該無線通信端末機から前記基地局若しくは前記交換機若しくは前記ＩＰネットワークに備えられるサーバへと送信して当該情報を保持させ、前記ハンズフリー装置が接続された無線通信端末機に対する発呼があった場合には、前記基地局若しくは前記交換機若しくは前記サーバから、発呼者に対して、発呼先の前記無線通信端末機が前記ハンズフリー装置を接続された状態であることを示す情報を送信することを特徴とする電話通信システム。
【請求項２】
前記ハンズフリー装置が接続された無線通信端末機に対する発呼があった場合に、当該無線通信端末機と前記発呼者側とのコネクションの設定の前に、前記基地局若しくは前記交換機若しくは前記サーバからの、前記発呼者に対する、発呼先の前記無線通信端末機が前記ハンズフリー装置を接続された状態であることを示す情報の送信を行うことを特徴とする請求項１記載の電話通信システム。
【請求項３】
前記発呼時に、前記基地局若しくは前記交換機若しくは前記サーバに対して、発呼先の前記無線通信端末機がハンズフリー装置を接続された状態である場合の前記発呼者の要求を示す動作指示信号を前記発呼者側から送信し、又は、前記基地局若しくは前記交換機若しくは前記サーバからの、発呼先の前記無線通信端末機が前記ハンズフリー装置を接続された状態であることを示す情報の受信の後に、前記基地局若しくは前記交換機若しくは前記サーバに対して、発呼先の前記無線通信端末機がハンズフリー装置を接続された状態であることに応じた前記発呼者の要求を示す動作指示信号を前記発呼者側から送信し、当該動作指示信号に応じた所定の動作を前記基地局若しくは前記交換機若しくは前記サーバが行うことを特徴とする請求項１又は請求項２に記載の電話通信システム。
【請求項４】
無線通信端末機と、当該無線通信端末機との間で無線アクセス網を介して信号を送受信する基地局と、当該基地局と接続される交換機と、当該交換機を相互に接続する中継網又は、ネットワーク間接続装置を介して前記交換機若しくは前記基地局を相互に接続するＩＰネットワークと、当該ＩＰネットワークに備えられるサーバと、を備えるメール送受信システムであって、前記無線通信端末機にハンズフリー装置が接続された場合には、当該無線通信端末機に前記ハンズフリー装置が接続されたことを示す情報を、当該無線通信端末機から前記基地局若しくは前記交換機若しくは前記サーバへと送信して当該情報を保持させ、前記ハンズフリー装置が接続された無線通信端末機に割当てられたメールアドレスに対するメールの送信があった場合には、前記基地局若しくは前記交換機若しくは前記サーバから、メール送信元アドレスに対して、前記メール送信先アドレスに対応する前記無線通信端末機が前記ハンズフリー装置を接続された状態であることを示す情報を送信することを特徴とするメール送受信システム。
【請求項５】
前記ハンズフリー装置が接続された無線通信端末機に割当てられたメールアドレスに対するメールの送信があった場合に、当該無線通信端末機への前記メールの配信を行わずに、前記基地局若しくは前記交換機若しくは前記サーバからの、メール送信元アドレスに対する、前記メール送信先アドレスに対応する前記無線通信端末機が前記ハンズフリー装置を接続された状態であることを示す情報の送信を行うことを特徴とする請求項４記載のメール送受信システム。
【請求項６】
前記メール送信時に、前記基地局若しくは前記交換機若しくは前記サーバに対して、前記メール送信先アドレスに対応する前記無線通信端末機がハンズフリー装置を接続された状態である場合の前記メール送信者の要求を示す動作指示情報を前記メール送信者側から送信し、又は、前記基地局若しくは前記交換機若しくは前記サーバからの、前記メール送信先アドレスに対応する前記無線通信端末機が前記ハンズフリー装置を接続された状態であることを示す情報の受信の後に、前記基地局若しくは前記交換機若しくは前記サーバに対して、前記メール送信先アドレスに対応する前記無線通信端末機がハンズフリー装置を接続された状態であることに応じた前記メール送信者の要求を示す動作指示情報を前記メール送信者側から送信し、当該動作指示情報に応じた所定の動作を前記基地局若しくは前記交換機若しくは前記サーバが行うことを特徴とする請求項４又は請求項５記載のメール送受信システム。
【請求項７】
前記無線通信端末機のヘッドホン端子部に、前記ハンズフリー装置の接続端子が接続されることによりオンとなり当該接続端子が外されることによりオフとなるスイッチを設けることにより、前記無線通信端末機に前記ハンズフリー装置が接続された状態であるか否かの判断を、前記スイッチのオン若しくはオフの状態によって行うことを特徴とする請求項１乃至請求項６の何れか１つに記載の電話通信システム若しくはメール送受信システム。
【発明の詳細な説明】
【技術分野】
【０００１】
本発明は、無線通信端末機を利用した電話通信システム若しくはメール送受信システムに関し、特に無線通信端末機にハンズフリー装置が接続された場合を考慮した電話通信システム若しくはメール送受信システムに関する。
【背景技術】
【０００２】
携帯電話機本体を保持することなく通話を行えるようにした装置としてハンズフリー装置がある。当該ハンズフリー装置に関する従来技術が特許文献１や特許文献２などによって開示されている。
【０００３】
【特許文献１】特開２００２−１０３５８号公報
【特許文献２】特開２００２−２９０５３７号公報
【発明の開示】
【発明が解決しようとする課題】
【０００４】
携帯電話機においてハンズフリー装置を使用する状況では使用者の手がふさがっている状態であることが前提であると言え（それが故にハンズフリー装置を使用している）、使用者が他のなんらかの作業（例えば自動車の運転時）を行いながら、通話を行っているのが通常である。従って、ハンズフリー装置の使用によって携帯電話機本体の保持・操作の必要が無いとはいえ、他の作業中に通話を行うことは、当該他の作業に対する注意力・集中力を低下させるものであるため、好ましいと言えるものではない（自動車の運転時などにおいては特に）。
【０００５】
このような状況に対し、従来、発呼者側は、通話をしようとする相手が現在ハンズフリー装置を使用しているか否かを知ることができず、相手がハンズフリー装置を使用しているか否かに関わらず発呼（通話）を行ってしまうため、「他の作業中に通話を行う」という状況を未然に防止若しくは抑止させることができなかった。
【０００６】
本発明は、上記した点に鑑み、ハンズフリー装置を使用した（すなわち自動車の運転などの他の作業を行いながらの）通話の発生の防止若しくは低減が図られた電話通信システム若しくはメール送受信システムを提供することを目的とする。
【課題を解決するための手段】
【０００７】
請求項１の電話通信システムは、無線通信端末機と、当該無線通信端末機との間で無線アクセス網を介して信号を送受信する基地局と、当該基地局と接続される交換機と、当該交換機を相互に接続する中継網若しくはネットワーク間接続装置を介して接続されるＩＰネットワークと、を備える電話通信システムであって、前記無線通信端末機にハンズフリー装置が接続された場合には、当該無線通信端末機に前記ハンズフリー装置が接続されたことを示す情報を、当該無線通信端末機から前記基地局若しくは前記交換機若しくは前記ＩＰネットワークに備えられるサーバへと送信して当該情報を保持させ、前記ハンズフリー装置が接続された無線通信端末機に対する発呼があった場合には、前記基地局若しくは前記交換機若しくは前記サーバから、発呼者に対して、発呼先の前記無線通信端末機が前記ハンズフリー装置を接続された状態であることを示す情報を送信することを特徴とする。
【０００８】
上記構成によれば、携帯電話機に代表される無線通信端末機にハンズフリー装置が接続されている場合には、当該ハンズフリー装置が接続されていることを示す情報が、基地局若しくは交換機若しくはサーバへと送信されて保持され、ハンズフリー装置が接続されている無線通信端末機に対する発呼があった場合には、発呼者に「相手の無線通信端末機がハンズフリー装置を接続されている状態である」旨の情報が送信される。
【０００９】
請求項２の電話通信システムは、請求項１記載の電話通信システムであって、前記ハンズフリー装置が接続された無線通信端末機に対する発呼があった場合に、当該無線通信端末機と前記発呼者側とのコネクションの設定の前に、前記基地局若しくは前記交換機若しくは前記サーバからの、前記発呼者に対する、発呼先の前記無線通信端末機が前記ハンズフリー装置を接続された状態であることを示す情報の送信を行うことを特徴とする。
【００１０】
上記構成によれば、無線通信端末機と発呼者側とのコネクションの設定の前（すなわち、「通話」が行われる前）に、発呼者に「相手の無線通信端末機がハンズフリー装置を接続されている状態である」旨の情報が送信される。
【００１１】
請求項３の電話通信システムは、請求項１又は請求項２に記載の電話通信システムであって、前記発呼時に、前記基地局若しくは前記交換機若しくは前記サーバに対して、発呼先の前記無線通信端末機がハンズフリー装置を接続された状態である場合の前記発呼者の要求を示す動作指示信号を前記発呼者側から送信し、又は、前記基地局若しくは前記交換機若しくは前記サーバからの、発呼先の前記無線通信端末機が前記ハンズフリー装置を接続された状態であることを示す情報の受信の後に、前記基地局若しくは前記交換機若しくは前記サーバに対して、発呼先の前記無線通信端末機がハンズフリー装置を接続された状態であることに応じた前記発呼者の要求を示す動作指示信号を前記発呼者側から送信し、当該動作指示信号に応じた所定の動作を前記基地局若しくは前記交換機若しくは前記サーバが行うことを特徴とする。
【００１２】
上記構成によれば、「相手の無線通信端末機がハンズフリー装置を接続されている状態である」場合の要求（例えば、「至急連絡をして下さい」や「手が空いたら連絡をして下さい」などのメッセージを相手に送信することや、通話要求など）を示す動作指示信号が、発呼時、又は、基地局若しくは交換機若しくはサーバからの「相手の無線通信端末機がハンズフリー装置を接続されている状態である」ことを示す情報の受信の後に、基地局若しくは交換機若しくはサーバに送信され、これに従って、メッセージの送信やコネクションの設定等の処理が行われる。
【００１３】
請求項４のメール送受信システムは、無線通信端末機と、当該無線通信端末機との間で無線アクセス網を介して信号を送受信する基地局と、当該基地局と接続される交換機と、当該交換機を相互に接続する中継網又は、ネットワーク間接続装置を介して前記交換機若しくは前記基地局を相互に接続するＩＰネットワークと、当該ＩＰネットワークに備えられるサーバと、を備えるメール送受信システムであって、前記無線通信端末機にハンズフリー装置が接続された場合には、当該無線通信端末機に前記ハンズフリー装置が接続されたことを示す情報を、当該無線通信端末機から前記基地局若しくは前記交換機若しくは前記サーバへと送信して当該情報を保持させ、前記ハンズフリー装置が接続された無線通信端末機に割当てられたメールアドレスに対するメールの送信があった場合には、前記基地局若しくは前記交換機若しくは前記サーバから、メール送信元アドレスに対して、前記メール送信先アドレスに対応する前記無線通信端末機が前記ハンズフリー装置を接続された状態であることを示す情報を送信することを特徴とする。
【００１４】
上記構成によれば、携帯電話機に代表される無線通信端末機にハンズフリー装置が接続されている場合には、当該ハンズフリー装置が接続されていることを示す情報が、基地局若しくは交換機若しくはサーバへと送信されて保持され、ハンズフリー装置が接続されている無線通信端末機に割当てられたメールアドレスに対するメールの送信があった場合には、メール送信元アドレスに「相手の無線通信端末機がハンズフリー装置を接続されている状態である」旨の情報が送信される。
【００１５】
請求項５のメール送受信システムは、請求項４記載のメール送受信システムであって、前記ハンズフリー装置が接続された無線通信端末機に割当てられたメールアドレスに対するメールの送信があった場合に、当該無線通信端末機への前記メールの配信を行わずに、前記基地局若しくは前記交換機若しくは前記サーバからの、メール送信元アドレスに対する、前記メール送信先アドレスに対応する前記無線通信端末機が前記ハンズフリー装置を接続された状態であることを示す情報の送信を行うことを特徴とする。
【００１６】
上記構成によれば、無線通信端末機へのメールの配信が行われずに、メール送信元アドレスに「相手の無線通信端末機がハンズフリー装置を接続されている状態である」旨の情報が送信される。
【００１７】
請求項６のメール送受信システムは、請求項４又は請求項５記載のメール送受信システムであって、前記メール送信時に、前記基地局若しくは前記交換機若しくは前記サーバに対して、前記メール送信先アドレスに対応する前記無線通信端末機がハンズフリー装置を接続された状態である場合の前記メール送信者の要求を示す動作指示情報を前記メール送信者側から送信し、又は、前記基地局若しくは前記交換機若しくは前記サーバからの、前記メール送信先アドレスに対応する前記無線通信端末機が前記ハンズフリー装置を接続された状態であることを示す情報の受信の後に、前記基地局若しくは前記交換機若しくは前記サーバに対して、前記メール送信先アドレスに対応する前記無線通信端末機がハンズフリー装置を接続された状態であることに応じた前記メール送信者の要求を示す動作指示情報を前記メール送信者側から送信し、当該動作指示情報に応じた所定の動作を前記基地局若しくは前記交換機若しくは前記サーバが行うことを特徴とする。
【００１８】
上記構成によれば、「相手の無線通信端末機がハンズフリー装置を接続されている状態である」場合の要求（例えば、「至急連絡をして下さい」や「手が空いたらメールを下さい」などのメッセージを相手に送信することや、メール配信要求など）を示す動作指示信号が、メール送信時、又は、基地局若しくは交換機若しくはサーバからの「相手の無線通信端末機がハンズフリー装置を接続されている状態である」ことを示す情報の受信の後に、基地局若しくは交換機若しくはサーバに送信され、これに従って、メッセージの送信やメールの送信等の処理が行われる。
【００１９】
請求項７の電話通信システム若しくはメール送受信システムは、請求項１乃至請求項６の何れか１つに記載の電話通信システム若しくはメール送受信システムであって、前記無線通信端末機のヘッドホン端子部に、前記ハンズフリー装置の接続端子が接続されることによりオンとなり当該接続端子が外されることによりオフとなるスイッチを設けることにより、前記無線通信端末機に前記ハンズフリー装置が接続された状態であるか否かの判断を、前記スイッチのオン若しくはオフの状態によって行うことを特徴とする。
【発明の効果】
【００２０】
本発明の請求項１の、無線通信端末機と、当該無線通信端末機との間で無線アクセス網を介して信号を送受信する基地局と、当該基地局と接続される交換機と、当該交換機を相互に接続する中継網若しくはネットワーク間接続装置を介して接続されるＩＰネットワークと、を備える電話通信システムであって、前記無線通信端末機にハンズフリー装置が接続された場合には、当該無線通信端末機に前記ハンズフリー装置が接続されたことを示す情報を、当該無線通信端末機から前記基地局若しくは前記交換機若しくは前記ＩＰネットワークに備えられるサーバへと送信して当該情報を保持させ、前記ハンズフリー装置が接続された無線通信端末機に対する発呼があった場合には、前記基地局若しくは前記交換機若しくは前記サーバから、発呼者に対して、発呼先の前記無線通信端末機が前記ハンズフリー装置を接続された状態であることを示す情報を送信することを特徴とする電話通信システムによれば、発呼者に「相手の無線通信端末機がハンズフリー装置を接続されている状態である」旨の情報が送信される（相手が現在ハンズフリー装置を使用している状態であると知るということは、すなわち、相手が自動車の運転などをしている状態であると想像できる）ため、当該情報を受信した発呼者が自主的に発呼を中止したり、通話を手短に終わらせようとすることができるため、ハンズフリー装置を使用した状態での（すなわち自動車の運転などの他の作業を行いながらの）通話の防止若しくは低減を図ることができる。
【００２１】
本発明の請求項２の、前記ハンズフリー装置が接続された無線通信端末機に対する発呼があった場合に、当該無線通信端末機と前記発呼者側とのコネクションの設定の前に、前記基地局若しくは前記交換機若しくは前記サーバからの、前記発呼者に対する、発呼先の前記無線通信端末機が前記ハンズフリー装置を接続された状態であることを示す情報の送信を行うことを特徴とする請求項１記載の電話通信システムによれば、無線通信端末機と発呼者側とのコネクションの設定の前（すなわち、「通話」が行われる前）に、発呼者に「相手の無線通信端末機がハンズフリー装置を接続されている状態である」旨の情報が送信されるため、「通話」が行われる前に発呼者が自主的に発呼を中止することができ、従って、ハンズフリー装置を使用した状態での（すなわち自動車の運転などの他の作業を行いながらの）通話の発生の防止を図ることができる。また、これにより、「コネクションの設定」の数の低減による回線資源の節約という副次的効果も得られる。
【００２２】
本発明の請求項３の、前記発呼時に、前記基地局若しくは前記交換機若しくは前記サーバに対して、発呼先の前記無線通信端末機がハンズフリー装置を接続された状態である場合の前記発呼者の要求を示す動作指示信号を前記発呼者側から送信し、又は、前記基地局若しくは前記交換機若しくは前記サーバからの、発呼先の前記無線通信端末機が前記ハンズフリー装置を接続された状態であることを示す情報の受信の後に、前記基地局若しくは前記交換機若しくは前記サーバに対して、発呼先の前記無線通信端末機がハンズフリー装置を接続された状態であることに応じた前記発呼者の要求を示す動作指示信号を前記発呼者側から送信し、当該動作指示信号に応じた所定の動作を前記基地局若しくは前記交換機若しくは前記サーバが行うことを特徴とする請求項１又は請求項２に記載の電話通信システムによれば、「相手の無線通信端末機がハンズフリー装置を接続されている状態である」場合の要求（例えば、「至急連絡をして下さい」や「手が空いたら連絡をして下さい」などのメッセージを相手に送信することや、通話要求など）を示す動作指示信号が、基地局若しくは交換機若しくはサーバに送信され、これに従って、メッセージの送信やコネクションの設定等の処理が行われるため、ハンズフリー装置を使用した状態での通話の発生の防止を図ることができると共に、緊急度などに応じて対応を選択できるため、発呼者側及び着呼者側の利便性に優れる。
【発明を実施するための最良の形態】
【００２３】
以下、本発明の具体的実施例について、図面を参照しながら説明する。なお、以下の実施態様は、本発明を具体化する際の一形態であって、本発明をその範囲内に限定するためのものではない。
【実施例１】
【００２４】
図１は本実施例の電話通信システムの構成の概略を示したブロック図である。図２は電話通信システムを構成する携帯電話の本発明に関する動作の概略を示したフローチャート図であり、図３は電話通信システムの本発明に関する動作の概略を示したフローチャート図である。
【００２５】
図１に示されるように、本実施例の電話通信システム１は、無線通信端末機である携帯電話１１と、固定電話１２と、携帯電話１１との間で無線アクセス網１４を介して信号を送受信する基地局１３と、当該基地局１３と接続される交換機１５と、当該交換機１５を相互に接続する中継網１６若しくはネットワーク間接続装置であるゲートウェイ１８ａ・ルータ１８ｂを介して接続されるＩＰネットワーク１７と、ＩＰネットワーク１７内に備えられるサーバ１９などを備える。
【００２６】
図２を参照しつつ、携帯電話１１の本発明に関する動作の概略を説明する。ステップ２１では、ハンズフリー装置１１０の接続の有無を判断し、接続があった場合には、ハンズフリー装置１１０が接続されている旨を、無線アクセス網１４を介して基地局１３へと送信する（ステップ２２）。ステップ２３では、ハンズフリー装置１１０の取り外しの有無を判断し、取り外された場合には、ハンズフリー装置１１０が接続されていない旨を、無線アクセス網１４を介して基地局１３へと送信し（ステップ２４）、ステップ２１へと戻る。当該処理により、携帯電話１１にハンズフリー装置１１０が接続されているか否かが基地局１３へと送信されることとなる。当該情報を受信した基地局１３は、交換機１５へと当該情報を送信し、交換機１５（図では簡略化されているが、実際には階層化された多数の交換機によって構成されている）は中継網１６を介して携帯電話１１のホームメモリ（携帯電話１１に関する情報（携帯電話１１の現在の位置情報や所有者の個人情報など）の格納場所）がある交換機１５に当該情報を格納する。
【００２７】
図４には、携帯電話１１のヘッドホン端子部分の一例を示す回路ブロック図を示した。ヘッドホン端子部４０には、定電圧源Ｖｃｃに接続されるＰｃｏｎ端子４１と、グランドに接続されるＧＮＤ端子４２と、携帯電話１１の制御部であるマイコン４５の端子に接続されるＨＰＩＮ端子４３などが備えられる。ヘッドホン端子部４０に、ハンズフリー装置１１０の接続端子が挿入（接続）されていない状態では、バネで付勢されることなどによりＨＰＩＮ端子４３がＧＮＤ端子４２に接触しており、これによりマイコン４５の端子にはロー（グランド）レベル信号が入力されることとなる。一方、ヘッドホン端子部４０にハンズフリー装置１１０の接続端子が挿入（接続）されると、当該接続端子によってＨＰＩＮ端子４３が押し上げ（若しくは押し下げ）られ、ＧＮＤ端子４２から離れてＰｃｏｎ端子４１に接触する。これによりマイコン４５の端子にはハイ（Ｖｃｃ）レベル信号が入力されることとなる。このような構成（スイッチ構造）により、携帯電話１１（マイコン４５）は、ハンズフリー装置１１０が接続されているか否か（ステップ２１・ステップ２３における判断）を検知することができる。なお、ハンズフリー装置１１０の接続端子には、ｓｏｕｎｄ信号線、ｍｉｃ信号線、ＧＮＤ信号線が設けられており、ヘッドホン端子部４０に接続されることにより、それぞれ、ｓｏｕｎｄ信号線４６、ｍｉｃ信号線４７、ＧＮＤ信号線４８に接続されることとなる。
【００２８】
次に図３を参照しつつ、本実施例の電話通信システム１の本発明に関する動作の概略を説明する。携帯電話１１ａや固定電話１２などから、携帯電話１１に対する発呼があった場合には、固定電話１２が接続された交換機１５若しくは携帯電話１１ａからの信号を受信した基地局１３と接続された交換機１５は、携帯電話１１のホームメモリがある交換機１５から、相手先（着呼者側である携帯電話１１）の情報を取得し（ステップ３０１）、携帯電話１１にハンズフリー装置１１０が接続された状態であるか否かを判別する（ステップ３０２）。ステップ３０２における判断が否定であった（ハンズフリー装置１１０が接続されていない）場合には、ステップ３０１で取得したホームメモリの情報を使用して、携帯電話１１と携帯電話１１ａ若しくは固定電話１２とのコネクションを設定し（ステップ３０９）、通話（ステップ３１０）の終了の後にコネクションを開放して（ステップ３１１）処理を終了する。
【００２９】
一方、ステップ３０２における判断が肯定であった（ハンズフリー装置１１０が接続されている）場合には、ステップ３０３で発呼者のホームメモリから発呼者の情報を取得し、ステップ３０４で発呼者（携帯電話１１ａ若しくは固定電話１２）へ「相手先の携帯電話はハンズフリー装置が接続されている状態ですので、自動車の運転中などである可能性があります。」というような旨の音声（予め録音したものや、交換機１５に備えられるコンピュータに加工・生成させたもの等）情報を送信する。これに続き、「このまま通話を終了する場合は“０”を、留守番電話サービスにメッセージを録音する場合は“１”を、相手先と通話をする場合は“２”を、押してください」というような旨の音声情報を送信し（ステップ３０５）、操作指示信号（携帯電話１１ａ若しくは固定電話１２からの“０”、“１”、“２”に該当するプッシュ信号など）を待つ（ステップ３０６）。ステップ３０７では指示の判別をし、指示が“０”（通話終了）であった場合には交換機１５と携帯電話１１ａ若しくは固定電話１２との間の接続を開放して処理を終了し、指示が“１”（留守番電話の録音）であった場合には留守番電話サービスの録音処理を行い、指示が“２”（通話）であった場合にはステップ３０９へと移行して以降通話処理を行い、処理を終了する。
【００３０】
なお、ステップ３０４やステップ３０５における発呼者への情報の送信は、上記したような音声情報の送信ではなく、ステップ３０３での発呼者情報の取得においてメールアドレスを取得してメールによって情報の送信を行うなどしても良いし、入力フォームなどを備えたＷｅｂページなどを送信するようにしても良い。また、上記では動作要求の選択肢として、「通話終了」「留守番電話の録音」「通話」を例として挙げているが、例えば、ステップ３０３で取得する発呼者情報（名前など）を利用しつつ「“○○様から至急連絡を下さい”との電話がありました」や「“○○様からお手があきましたらご連絡を下さい”との電話がありました」といったメッセージを生成させて携帯電話１１（着呼者側）に送信させるといった動作処理や、相手の携帯電話（携帯電話１１）からハンズフリー装置１１０が取り外されたことを通知させる（ハンズフリー装置の取外しが検知された時点で交換機１５等から音声メッセージやメールなどで発呼を行った者に通知）という動作などを選択させるようにしてもよい。加えて、本実施例では、「相手の無線通信端末機がハンズフリー装置を接続されている状態である」旨の情報を受け取った後に、動作要求の選択を行うようにしているが、発呼時に予め「ハンズフリー状態である場合の動作指示」の情報を付加して発呼を行うような処理としてもよい。このように、発呼時に予め「ハンズフリー状態である場合の動作指示（例えば、相手がハンズフリーである場合は発呼中止とするなど）」の情報を付加して送信することにより、図３のステップ３０４〜ステップ３０６の処理を不要とすることもでき、処理時間の短縮や、通信量の減少（回線資源の有効活用）や、ユーザの利便性を図ることができる。具体例をあげると、電話をかける際のデフォルトの設定として、「相手がハンズフリー状態であった場合は発呼を（自動的に）中止する」というような設定をしておくことにより、発呼時には、「相手がハンズフリー状態である場合は発呼を中止」という情報（動作指示信号）が毎回送信され、これを受けた交換機などに、“相手（着呼側）の状況を判断して、ハンズフリーであれば発呼の中止、そうでなければ相手とのコネクションの設定。”というような動作を自動的に行わせるようにすること等ができる。
【００３１】
以上のごとく、本実施例の電話通信システム１によれば、無線通信端末機と発呼者側とのコネクションの設定の前に、発呼者に「相手の無線通信端末機がハンズフリー装置を接続されている状態である」旨の情報が送信され、当該情報を受信した発呼者は、「通話」が行われる前に自主的に発呼を中止することができる。また、緊急を要する要件であるため、通話を必要とする場合などでも、相手方がハンズフリー状態であることを認知しているため、通話を手短に終わらせようとすることができる。従って、ハンズフリー装置を使用した状態での（すなわち自動車の運転などの他の作業を行いながらの）通話の防止若しくは低減を図ることができる。また、「相手の無線通信端末機がハンズフリー装置を接続されている状態である」場合の発呼者側の要求（例えば、「至急連絡をして下さい」や「手が空いたら連絡をして下さい」などのメッセージを相手に送信することや、通話要求、留守電の録音要求など）を示す動作指示信号が送信され、これに従って、メッセージの送信やコネクションの設定等の処理が行われるため、要件の緊急度などに応じて対応を選択することができ、発呼者側及び着呼者側の利便性に優れる。
【００３２】
なお、携帯電話１１において、ハンズフリー装置１１０が接続されている間に通話があった場合には、履歴情報として、“ハンズフリー装置１１０を使用した通話である”旨の情報を保存し、表示要求などに応じて当該履歴情報を携帯電話１１に備えられる表示部に表示させる（図５に表示画面の一例を示した。アイコン５０がハンズフリー通話であることを示している）ようにしてもいいし、同様に、携帯電話１１のホームメモリ（交換局１５）などに、“ハンズフリー装置１１０を使用した通話である”旨の履歴情報を保存するなどしても良い。また、発呼側と着呼側とを結ぶ情報の伝達経路は、携帯電話１１−無線アクセス網１４−基地局１３−交換機１５−中継網１６−交換機１５−固定電話１２というものであっても良いし、交換機１５（発呼側）−交換機１５（着呼側）の間にネットワーク間接続装置（ゲートウェイ１８ａ・ルータ１８ｂ）を介してＩＰネットワーク１７が介在するもの（いわゆるＩＰ電話）であってもよい。なお、これらの伝送経路の異同などにより、「携帯電話１１へのハンズフリー装置１１０の接続の有無に関する情報」の保存場所（本実施例では交換機１５としている）や、図３に示した処理を行う主な主体（本実施例では交換機１５としている）などは、適宜変更して適応される（例えば、基地局１３やサーバ１９など）。
【実施例２】
【００３３】
図６は本実施例のメール送受信システムの構成の概略を示したブロック図である。図７はメール送受信システムの本発明に関する動作の概略を示したフローチャート図である。なお、実施例１と同様の構成要素については実施例１と同一の符号を使用している。
【００３４】
図６に示されるように、本実施例のメール送受信システム６０は、無線通信端末機である携帯電話１１と、情報端末であるＰＣ６１と、携帯電話１１との間で無線アクセス網１４を介して信号を送受信する基地局１３と、当該基地局１３と接続されるネットワーク間接続装置であるゲートウェイ１８ａと、ネットワーク間接続装置であるルータ１８ｂを介して接続されるＩＰネットワーク１７と、ＩＰネットワーク１７内に備えられるサーバ１９などを備える。
【００３５】
本実施例の携帯電話１１の「ハンズフリー装置接続状態」検出処理動作の概略は実施例１（図２）と同様であるためここでの説明を省略する。図２の処理により、基地局１３へと送信された「ハンズフリー装置接続状態」の情報は、ゲートウェイ１８ａとルータ１８ｂ及びＩＰネットワーク１７を介して、サーバ１９（携帯電話１１に割当てられたメールアドレスのドメインに該当するサーバ）へと送信され、サーバ１９に保持される。
【００３６】
次に図７を参照しつつ、本実施例のメール送受信システム６０の本発明に関する動作の概略を説明する。携帯電話１１ａやＰＣ６１などから、携帯電話１１（携帯電話１１に割当てられたメールアドレス）に対するメールの送信があると、当該メールはＩＰネットワーク１７を介してサーバ１９（携帯電話１１に割当てられたメールアドレスのドメインに該当するサーバ）へと送信される。当該メールを受信したサーバ１９では、携帯電話１１（送信先メールアドレスに該当する携帯電話）にハンズフリー装置１１０が接続された状態であるか否かを判別する（ステップ７１）。ステップ７１における判断が否定であった（ハンズフリー装置１１０が接続されていない）場合には、ステップ７７へと移行し、メールの配信処理（基地局１３からの携帯電話１１へのメールの配信）を行わせて、処理を終了する。
【００３７】
一方、ステップ７１における判断が肯定であった（ハンズフリー装置１１０が接続されている）場合には、ステップ７２でメール送信者（メールの送信元アドレス）へ「相手先の携帯電話はハンズフリー装置が接続されている状態ですので、自動車の運転中などである可能性があります。」というような内容と、「メールの送信を中止する場合は「件名」を“０”としたメールを、ハンズフリー装置が外された後にメールを送信させる場合は「件名」を“１”としたメールを、直ぐにメールを送信させる場合は「件名」を“２”としたメールを返信してください」というような内容のメールを送信して、前記送信元アドレスからの返信（メール）を待つ（ステップ７３）。ステップ７４では指示の判別（送信元アドレスと「件名」によって判別）をし、指示が“０”（メール送信中止）であった場合には、受信済みのメールを削除して（メールを携帯電話１１に配信することなく）処理を終了する。指示が“１”（ハンズフリー装置が外された後にメール送信）であった場合には、ステップ７６でハンズフリー装置１１０の取外し待ちを行い、ハンズフリー装置１１０の取外しが検出された後にメールの配信処理を行わせて（ステップ７７）処理を終了する。指示が“２”（メール送信）であった場合にはステップ７７へと移行してメールの配信処理を行わせて処理を終了する。
【００３８】
なお、ステップ７２〜ステップ７４におけるメール送信者への情報の送信及び指示内容の取得は、上記したような、ガイダンス内容を記載したメールを送信して、返信のメールを待つというものでなく、入力フォームなどを備えたＷｅｂページ（指示内容を取得するためのページ）などのアドレスをメールで送信するようにしても良い。また、動作要求の選択肢として、例えば、前記入力フォームで取得した情報（名前など）を利用しつつ「“○○様から至急連絡を下さい”との連絡がありました」や「“○○様からお手があきましたらご連絡を下さい”との連絡がありました」といったメッセージ（音声）を生成させて携帯電話１１に送信させる（基地局１３から携帯電話１１へ発呼を行い、音声メッセージを流す）といった動作処理を加えてもよい。加えて、本実施例では、「相手の無線通信端末機がハンズフリー装置を接続されている状態である」旨の情報を受け取った後に、動作要求の選択を行うようにしているが、メール送信時に予め「ハンズフリー状態である場合の動作指示」の情報を付加して送信するようにしてもよい。
【００３９】
以上のごとく、本実施例のメール送受信システム６０によれば、携帯電話１１へのメール配信の前に、メール送信者に「相手の携帯電話がハンズフリー装置を接続されている状態である」旨の情報が送信されるため、当該情報を受信したメール送信者は、「携帯電話１１へのメールの配信」を自主的に中止若しくは延期（ハンズフリー装置が取り外されるまで）させることができ、又は、メールの代わりに音声メッセージの送信などをさせることができる。従って、ハンズフリー装置を使用した状態において、当該ハンズフリー装置を使用した携帯電話にメールが配信されることが防止若しくは低減されるため、特に自動車の運転中において、注意力をそがれる（携帯電話１１の表示画面などを見てしまう）といったことを防止させることができる。
【００４０】
なお、実施例中においては、携帯電話１１から基地局１３へと送信する情報を、「ハンズフリー装置の接続状態」としているが、例えば、携帯電話１１の使用者が随時設定を行うことなどにより、「車の運転中」というような付加情報も送信させるようにしてもよい。これに伴い、図３（ステップ３０２）や図７（ステップ７１）における処理で、「車の運転中」であるか否かなどといった判断を行い、ハンズフリー装置を使用しつつ通話やメールをしても、危険な状況とはならないと判断されるような場合は、無条件で通話等を行わせるような処理等としてもよい。
【図面の簡単な説明】
【００４１】
【図１】実施例１の電話通信システムの構成の概略を示したブロック図
【図２】携帯電話の本発明に関する動作の概略を示したフローチャート図
【図３】実施例１の電話通信システムの本発明に関する動作の概略を示したフローチャート図
【図４】ヘッドホン端子部の一例を示す回路ブロック図
【図５】携帯電話の表示画面の一例を示す図
【図６】実施例２のメール送受信システムの構成の概略を示したブロック図
【図７】実施例２のメール送受信システムの本発明に関する動作の概略を示したフローチャート図
【符号の説明】
【００４２】
１      電話通信システム
１１    携帯電話（無線通信端末機）
１２    固定電話
１３    基地局
１４    無線アクセス網
１５    交換機
１６    中継網
１７    ＩＰネットワーク
１８ａ  ゲートウェイ（ネットワーク間接続装置）
１８ｂ  ルータ（ネットワーク間接続装置）
１９    サーバ
４０    ヘッドホン端子部
６０    メール送受信システム
１１０  ハンズフリー装置
【図１】
2006174076.tif 000003
【図２】
2006174076.tif 000004
【図３】
2006174076.tif 000005
【図４】
2006174076.tif 000006
【図５】
2006174076.tif 000007
【図６】
2006174076.tif 000008
【図７】
2006174076.tif 000009